(57)【要約】   【課題】  全体が高圧洗浄可能であって、且つ、子供の家畜に使用しても齧られることのない耐久性を備え、家畜にとって適当な弾性を備えた家畜用の通水性暖房マットを提供すること。  【解決手段】  矩形平面形状に形成した天然ゴムまたは合成ゴム製のゴム板部材１０２の全面に渡って、直管部と曲管部で構成される流水管１０３を埋設してゴム板部材１０２と一体に形成し、流水管１０３の両開口端、注水用管端部１０３ａおよび排水用管端部１０３ｂを、ゴム部材の一辺から外側に突出させて、温水循環ボイラー１０６に接続するとともに、ゴム板部材１０２の全周に渡って、ステンレス薄板からなる金属枠部材１０４を枠設した。【選択図】  図１
2005192486.tif 000002
【特許請求の範囲】
【請求項１】
厚みを有する板状に形成された天然ゴムまたは合成ゴムからなるゴム板部材内に温水又は冷水が外部より循環通水される配管部を密封状態に埋設した通水マットにおいて、
前記ゴム板部材の周縁部には、金属性の板状部材からなる金属枠部材を固定したことを特徴とする通水マット。
【請求項２】
前記金属枠部材は、上端縁が前記ゴム板部材の上面に略一致していることを特徴とする請求項１に記載の通水マット。
【請求項３】
畜舎に備え付けられる畜舎用檻の床部に、請求項１または請求項２のいずれかに記載の通水マットを敷設したことを特徴とする畜舎。
【請求項４】
前記畜舎用檻は、第一の部屋と第二の部屋で構成し、第一の部屋と第二の部屋は、授乳用口を開放した柵部材で仕切るとともに、前記第一の部屋および前記第二の部屋の床部は網状に形成し、前記第二の部屋の前記床部に、請求項１または請求項２のいずれかに記載の通水マットを敷設したことを特徴とする畜舎。
【発明の詳細な説明】
【技術分野】
【０００１】
本発明は、畜舎の床に敷設して豚等の家畜が横たわって暖（又は冷）をとる通水マットおよび通水マットを敷設した畜舎に関するものである。
【背景技術】
【０００２】
豚などの畜舎に家畜用通水マットを備えたものが提案されている。
【０００３】
このような家畜用の通水マットを図５に示す（特許文献１）。図５に示す通水マット３０１は、熱伝導路としての流水管３０２をマット本体３０３内に埋設して形成されていて、Ｕ字形状の曲管部と直管部とを組み合わせて曲がりくねった構成に形成された流水管３０２の両管端部は、マット本体３０３の周縁部から外側に向けて突出しており、一方の管端部側が不図示の温水ボイラーの給湯側に接続され、他方の管端部側が該温水ボイラーの環り側に接続されている。
【０００４】
また、他のタイプの家畜用通水マットを図６に示す（特許文献２）。図６に示す通水マット４０１は、袋状に形成された繊維基布４０２ａの内側に軟質弾性材料からなる突起部４０２ｂが通水路としての空間を確保するように配列接着され、繊維基布４０２ａの外側には、主として塩化ビニールからなる可撓性シート４０３が被覆され、通水マット４０１の対角する位置を開口して通水路に連通するように通水パイプ４０４ａおよび４０４ｂが挿入されている。
【特許文献１】実開平２−６４４６号公報
【特許文献２】特開平１１−１２３０２９号公報
【発明の開示】
【発明が解決しようとする課題】
【０００５】
家畜用の暖房設備を電気又はガスにより畜舎内を温風で暖房するものから、上記通水マット３０１および通水マット４０１のようにマット内に温水を流す設備にしたことで、漏電や引火による畜舎の火災を防止することができるようになった。
【０００６】
しかし、図５に示す従来構成の流水管３０２をマット部材３０３内に埋設した通水マット３０１は、マット部材３０３の厚みによっては、流水管３０２の感触が家畜に伝わるために家畜にとって居心地がよいとはいえず、またマット部材３０３の材質によっては、家畜が滑りやすく蹄が傷つくことがあった。
【０００７】
また、図６に示す従来構成の通水マット４０１は、流水管を設けずに合成樹脂材等の軟質弾性材料からなる突起部４０２ｂを配置して通水路を確保したことで、通水マット３０１に比べてクッション性をもたせることが可能となった。
【０００８】
しかし、突起部４０２ｂが破損した場合には通水路が確保できなくなることから、こまめに通水マット芯部材４０２を取り替える必要があった。
【０００９】
一方、家畜用通水マットは、畜舎の床部に敷設するので、家畜を清潔に保つためには随時の洗浄が必要となる。従って、水による洗浄が可能で、且つ、高圧洗浄にも耐えうる強度を備えている必要がある。
【００１０】
また特に、仔豚に代表される子供の家畜はマットの周縁部等を齧る性質があるため、家畜がマットの周縁部を齧っても家畜にもマットそのものにも影響を及ぼすことがないようにしなければならない。
【００１１】
本願発明の第一の目的は、上記観点に鑑みなされたものであって、飼育する者にとっても扱い勝手が良く、飼育される側の豚などにとっても快適で危険性のない温水あるいは冷水が通水される通水マットを提供することである。
【００１２】
本願発明の第二の目的は、家畜にとって居心地のよい弾性を有し、特に家畜の蹄を傷つけることがない肌触りのよい通水マットを提供することである。
【００１３】
本願発明の第三の目的は、両面丸洗いが可能な防水性を備え、且つ、高圧洗浄に耐えうる程度の耐久性を有する通水マットを提供することである。
【００１４】
本願発明の第四の目的は、通水マットの周縁部を家畜が齧ることができないように形成した通水マットを提供することである。
【課題を解決するための手段】
【００１５】
本願発明の第一の構成は、厚みを有する板状に形成された天然ゴムまたは合成ゴムからなるゴム板部材内に温水又は冷水が外部より循環通水される配管部を密封状態に埋設した通水マットにおいて、前記ゴム板部材の周縁部には、金属性の板状部材からなる金属枠部材を固定したことを特徴とする。
【００１６】
本願発明の第二の構成は、前記金属枠部材は、上端縁が前記ゴム板部材の上面に略一致していることを特徴とする。
【００１７】
本願発明の第三の構成は、畜舎に備え付けられる畜舎用檻の床部に、請求項１または請求項２のいずれかに記載の通水マットを敷設した畜舎であることを特徴とする。
本願発明の第四の構成は、前記畜舎用檻は、第一の部屋と第二の部屋で構成し、第一の部屋と第二の部屋は、授乳用口を開放した柵部材で仕切るとともに、前記第一の部屋および前記第二の部屋の床部は網状に形成し、前記第二の部屋の前記床部に、請求項１または請求項２のいずれかに記載の通水マットを敷設した畜舎であることを特徴とする。
【発明の効果】
【００１８】
請求項１に係る発明によれば、厚みを有する板状に形成された天然ゴムまたは合成ゴムからなるゴム板部材内に温水又は冷水が外部より循環通水される配管部を密封状態に埋設した通水マットに形成することで、パイプ部材の温水を循環させれば、マット全体に熱が蓄えられ、家畜にとって居心地のよい温度環境を提供し、家畜を適切な体温に保つことができる。特に、仔豚等の子供の家畜の下部に敷設することで寒さに弱い子供の家畜を保温しながら飼育することができる。
【００１９】
また特に、ゴム板部材を高断熱性に優れた天然ゴムまたは合成ゴムで成形すれば、ソフトな暖かさで居心地のよい通水マットを成形することができ、家畜にとって居心地の良い環境を提供することができる。
【００２０】
更に、前記ゴム板部材の周縁部には、金属性の板状部材からなる金属枠部材を固定することで、子供の家畜がマットの周縁部を齧ることができず、子供の家畜に影響を及ぼすことがなく、配管の露出を防止する等マットそのものにも影響を及ぼさないようにすることができる。
【００２１】
請求項２に係る発明によれば、前記金属枠部材は、上端縁が前記ゴム板部材の上面に略一致させることで、子供の家畜が特に齧りやすいゴム板部材の縁をカバーすることができる。
【００２２】
請求項３に係る発明によれば、畜舎に備え付けられる畜舎用檻の床部に、請求項１または請求項２に記載の通水マットを敷設することで、家畜を常に適温に保つことができ、通水マットを随時洗浄することで清潔な畜舎を提供することができる。
【００２３】
請求項４に係る発明によれば、前記畜舎用檻を、第一の部屋と第二の部屋で構成し、第一の部屋と第二の部屋は、授乳用口を開放した柵部材で仕切るとともに、前記第一の部屋および前記第二の部屋の床部は網状に形成し、前記第二の部屋の前記床部に、前記家畜暖房用通水マットを敷設したことで、請求項３に係る発明の効果に加え、親の家畜と子供の家畜を別個の檻で育てることができるので、子供の家畜が親の家畜に押しつぶされることがなく、親の家畜と離して飼育しても子供の家畜を適当な体温に保つことができる畜舎を提供することができる。
【発明を実施するための最良の形態】
【００２４】
図１は、本願発明の第一の実施の形態の通水マットを示す。
【００２５】
本実施の形態の通水マット１０１は、全体が矩形平面形状に形成され、厚みを有する天然ゴムまたは合成ゴムからなるゴム板部材１０２内に曲管部と直管部とを組み合わせて略全平面領域をカバーするように配管される流水管１０３を埋設したもので、流水管１０３はボイラーとの接続が行なわれる管端部のみが露出しており、それ以外の配管部は密封状態に保持されている。
【００２６】
また、通水マット１０１の外観部材をなすゴム板部材１０２の側面全周にわたり金属製の板状部材からなる金属枠部材１０４を固定している。尚、この金属枠部材１０４は流水管１０３の両管端部１０３ａおよび１０３ｂを貫通させている。
【００２７】
本実施の形態において、図３に示すように、この金属枠部材１０４の上端縁はゴム板部材１０２の上面と略同じ面位置とし、ゴム板部材１０２の縁を仔豚等の家畜が齧らないようにしている。
【００２８】
一般にゴム、特に天然ゴムは仔豚が好む傾向にあり、ゴム板部材１０２の端を齧ることがあり、流水管１０３の配管部分を露出させてしまうことがあるが、この金属枠部材１０４によりこれを防いでいる。
【００２９】
流水管１０３の両管端部は、温水循環ボイラー１０５の給湯側に接続される注水用開口部１０３ａと、該温水ボイラー１０５の環り側に接続される排水用開口部１０３ｂを成し、図１に示す実施の形態ではゴム板部材１０２の周縁部の１箇所から外側に突出している。
【００３０】
温水循環ボイラー１０４で温められた水が注水用管端部１０３ａから流水管１０３内に入って配管内を循環し、排水用管端部１０３ｂから再び温水循環ボイラー１０４へと戻ることで、ゴム板部材１０２を略全面に渡って温めるようにしている。
【００３１】
尚、金属枠部材１０４は、水で洗浄した場合にも錆びることがないように、例えば、ステンレス材で形成されている。
【００３２】
また、ゴム板部材１０２中に埋設される流水管１０３の曲折されている配管構造と、注水用管端部１０３ａおよび排水用管端部１０３ｂの位置は、図１に示す実施の形態に限られず、例えば、図２に示すように、ゴム板部材１０２内に流水管１０３を左右対称に配置し、注水用管端部１０３ａおよび排水用管端部１０３ｂをゴム板部材１０２の周縁部の２個所に離して配置してもよい。
【００３３】
また、ステンレス板または鉄板等の熱伝導性に優れた伝熱板１０６を流水管１０３の上面に設けることで、更に温度分布の均一化を図るとともに、重量負荷を分散させて流水管１０３が潰れないようにしている。
【００３４】
図４は、本願発明の第二の実施の形態を示し、図１または図２に示す通水マット１０１を例えば豚等の畜舎の床部に敷設した状態を示す。
【００３５】
図中、２０１は畜舎内に設けられる、例えば、豚飼育用の檻である。檻２０１は、第一の部屋である親の家畜用の部屋２０２と第二の部屋である子供の家畜用の部屋２０３とで構成されている。
【００３６】
親の家畜用の部屋２０２と子供の家畜用の部屋２０３とは、仕切り用柵２０４で仕切っている。仕切り用柵２０４には、親の家畜が子供の家畜へ授乳するための授乳用開放口２０４ａを形成し、子供の家畜が親の家畜用の部屋２０２に侵入することができないようにして子供の家畜が親の家畜に押しつぶされることなく飼育できるようにしている。
【００３７】
子供の家畜用の部屋２０３には、通水マット１０１を敷設して、通水マット１０１上の子供の家畜を、常時適切な体温に保つことができるようにしている。
【００３８】
更に、檻２０１の床部２０５は、網目状に形成して排水可能とし、通水マット１０１を檻２０１内で洗浄することができるようにしている。
【００３９】
尚、図４に示す実施の形態においては、豚飼育用の檻を示しているが、通水マット１０１を敷設する畜舎は図４に示すような豚飼育用檻に限られるものではなく、他の形状の檻や、牛舎等他の家畜用の檻内に敷設してもよい。
【００４０】
また、上記した各実施の形態では、通水マット１０１の流水管１０３に温水を循環させるようにしているが、夏場などの高温時には冷水を循環させるようにしても良い。
【図面の簡単な説明】
【００４１】
【図１】本願発明の第１の実施の形態を示す通水マット図の斜視図。
【図２】図１に示す通水マットの変形例を示す斜視図。
【図３】図１、図２のＡーＡ矢視断面図。
【図４】本願発明の第２の実施の形態を示す畜舎の斜視図。
【図５】従来の通水マットを示す上面図。
【図６】従来の他の通水マットを示す横断面図。
【符号の説明】
【００４２】
１０１  通水マット  
１０２  ゴム板部材
１０３  流水管
１０３ａ注水用開口部
１０３ｂ排水用開口部
１０４  枠部材
１０５  温水循環ボイラー
１０６  伝熱板
２０１  家畜用檻  
２０２  親家畜用部屋
２０３  仔家畜用部屋  
３０１  通水マット
３０２  流水管    
３０３  マット本体
４０１  通水マット
４０２  通水マット芯部材
４０２ａ繊維基布
４０２ｂ突起部
４０３  可撓性シート
４０４  通水パイプ
【図１】
2005192486.tif 000003
【図２】
2005192486.tif 000004
【図３】
2005192486.tif 000005
【図４】
2005192486.tif 000006
【図５】
2005192486.tif 000007
【図６】
2005192486.tif 000008